(57)【特許請求の範囲】
【請求項１】
法面地盤に複数のアンカーの引張部材を所定間隔離して打設し、法面上に配置したアンカーの引張部材の突出部分それぞれにアンカーの十字形状の地上定着部を止着し、上下面を金網又は多数の孔を開口した金属板で囲んで内部に空間を有するようにした保護体をアンカーの十字形状の地上定着部間の露出した法面の表面を覆うように配置し、しかも同保護体は十字形状の地上定着部によって囲まれる法面部分を４つに仕切る形状にし、同保護体の網目又は孔より大きい充填部材を保護体の内部空間に多数封入し、保護体とアンカーの地上定着部との間及び隣り合う保護体の周縁間をワイヤーの取付けで互に連結し、充填部材を封入した保護体で法面を覆って法面の保護を行う法面保護構造。
【請求項２】
保護体が、上面側の金網又は多数の孔を開口した金属板の網目又は孔より下面側の網目又は孔が小さくなる構造にした請求項１記載の法面保護構造。
【請求項３】
保護体の下面側の金網又は多数の孔を開口した金属板の上方又は下方に植生布を設けて植物が植生しやすいようにした請求項１，２いずれかに記載の法面保護構造。
【請求項４】
保護体の端部に係合部を設けて、保護体同士を複数連結した請求項１〜３いずれかに記載の法面保護構造。
【請求項５】
充填部材が多孔質のものである請求項１〜４いずれかに記載の法面保護構造。
【請求項６】
充填部材が軽石である請求項１〜５いずれかに記載の法面保護構造。
【発明の詳細な説明】
【０００１】
【発明の属する技術分野】
本発明は、雨や地下水によって、またはダムや河川に位置して波を被ることによって、法面が水に洗われるようにして洗掘されて法面が流出、崩壊するのを防ぎ、かつ地中から法面に出てくる水を通過させて法面の流出、崩壊を防ぐ法面保護構造に関する。
【０００２】
【従来の技術】
従来において、ダムや河川等に法面が設けられる場合には、法面はその水位の変化や波によって水を被ったりする。また、雨や地下水によっても法面が洗われたりする。このようなことが繰り返し行われると法面が洗掘されて法面の流出、崩壊を招くことがある。
この対策としてコンクリートで法面を覆うようにすると、法面が洗掘されるのを防ぐことができる。しかし、ダムや河川等では、ダムや河川に地中から水が流れ込む場合が多い。また、通常の法面も雨や地下水が地中からしみ出すことが多い。よってコンクリートで法面を覆ってしまうと、排水口は設けられるが十分でないために、この地中の水の流れも止めてしまい水がたまり、法面の空洞化、崩壊、地盤が弱くなる、水の噴出等、法面や法面以外の地盤に悪影響を及ぼすことがあり問題となっていた。
【０００３】
【発明が解決しようとする課題】
本発明が解決しようとする課題は、従来のこれらの問題点を解消し、水の通過をよくして水が法面表面又は法面中に溜まらないようにし、かつ法面を補強して安定するよう保護できる法面保護構造を提供することにある。
【０００４】
【課題を解決するための手段】
かかる課題を解決した本発明の構成は、
１）  法面地盤に複数のアンカーの引張部材を所定間隔離して打設し、法面上に配置したアンカーの引張部材の突出部分それぞれにアンカーの十字形状の地上定着部を止着し、上下面を金網又は多数の孔を開口した金属板で囲んで内部に空間を有するようにした保護体をアンカーの十字形状の地上定着部間の露出した法面の表面を覆うように配置し、しかも同保護体は十字形状の地上定着部によって囲まれる法面部分を４つに仕切る形状にし、同保護体の網目又は孔より大きい充填部材を保護体の内部空間に多数封入し、保護体とアンカーの地上定着部との間及び隣り合う保護体の周縁間をワイヤーの取付けで互に連結し、充填部材を封入した保護体で法面を覆って法面の保護を行う法面保護構造
２）  保護体が、上面側の金網又は多数の孔を開口した金属板の網目又は孔より下面側の網目又は孔が小さくなる構造にした前記１）記載の法面保護構造
３）  保護体の下面側の金網又は多数の孔を開口した金属板の上方又は下方に植生布を設けて植物が植生しやすいようにした前記１），２）いずれかに記載の法面保護構造
４）  保護体の端部に係合部を設けて、保護体同士を複数連結した前記１）〜３）いずれかに記載の法面保護構造
５）  充填部材が多孔質のものである前記１）〜４）いずれかに記載の法面保護構造
６）  充填部材が軽石である前記１）〜５）いずれかに記載の法面保護構造
にある。
【０００５】
【作用】
本発明では、充填部材を封入し、上下が金網又は多孔を備えた金属板の保護体で法面を安定させるようにすることで、石や岩が水によって掘られて取れるのを保護体の金網又は金属板で防ぐことによって法面を保護し、また、保護体と法面の間に溜まろうとする水は、網目又は孔及び充填部材同士の間を通過させて外部に逃がし、法面から外部に流出しようとする土砂を充填部材同士の隙間に溜めて流出させないようにして法面を保護する。保護体はアンカーの地上定着部によって法面に押し付けられるように固定される。法面が波を被るような場合にも、波による衝撃力は充填部材によって分散される。
アンカーの地上定着部の間から露出した法面の表面を覆うように保護体を配置したものは、アンカーによる法面の補強が十分にされるようにし、アンカーの地上定着部の間から露出した法面の表面を保護体で覆って水を通過させ、土砂及び岩石が水で洗われても流出しないようにして法面を保護する。
保護体が、上面側の金網又は多孔を備えた金属板の網目又は孔より下面側の網目又は孔が小さくなる構造にしたものは、法面の土砂が小さい網目の金網又は小さい孔を多数備えた金属板で押さえられるようにしてさらに法面の土砂の流出を防ぐ。
保護体の下面側の金網又は多孔を備えた金属板の上方又は下方に植生布を設けたものは、植物が法面に植生しやすいようにして植物の主に根によって法面が安定するようにする。  
アンカーの地上定着部が十字形状であるものは、法面を十字に押さえるようにして法面を補強する。
充填部材が多孔質であるものは、土砂の流出に対する抵抗が大きくなるようにし、また植物や微生物が定着しやすいようにする。
充填部材が軽石であるものは、安価で軽量な充填部材にする。
【０００６】
【発明の実施の形態】
充填部材としては、軽石、砂利石、砕石、ガラスを利用した塊状物、コンクリート体、プラスチックの小片などがあり、保護体に封入して空隙が適度にでき易く、表面が多孔質のものが、水はけ、土砂の流出防止、植物・微生物の定着から好ましい。
充填部材として用いられるガラスを利用した塊状物は、ガラスの廃材を細く破砕し、厚みのある円盤形状に焼き固めた表面が多孔質のものを用いてもよい。
また、充填部材として用いられるコンクリート体は、グラスファイバーやアラミドを混入したコンクリートを固めた長尺な棒状のものを用いてもよい。
充填部材は、あらかじめ保護体に封入しておいてもよいし、法面に取り付ける際に封入するようにしてもよい。
金網又は多孔性の金属板は、錆・腐食に強いものが好ましく、ステンレス製や表面処理を施したものが好ましい。  
【０００７】
【実施例】
本発明の参考例と実施例について図面を参照して具体的に説明する。
参考例（図１〜３参照）
図１〜３に示す参考例は、本発明の理解の為の参考例である。この参考例では、アンカーが保護体を貫通するようにし、保護体の上下面が金網からなり、保護体の上面側より下面側の網目が小さくするようにし、保護体の端部に係合部を設け、アンカーの地上定着部が十字形状であり、充填部材が多孔質の軽石である法面保護構造の例である。
図１は参考例の法面保護構造の説明図である。図２は参考例の法面保護構造の平面図である。図３は参考例の法面保護構造の保護体同士の連結部分を示す説明図である。
図中、１は保護体、１ａは上面金網、１ｂは下面金網、１ｃは充填部材として用いた軽石、１ｄは係合突部、１ｅは係合穴、２はアンカー、２ａは地上定着部、２ｂは引張部材、３０は法面である。
【０００８】
参考例では、図１〜３に示すように保護体１上面及び下面をステンレス製の金網で構成している。保護体１の上面となる上面金網１ａと保護体１の下面となる下面金網１ｂは、下面金網１ｂの網目の方が上面金網１ａの網目より小さくなるようにしている。この上面金網１ａと下面金網１ｂは四角形形状になっており、箱形形状の保護体１を構成する。
次に箱形形状の保護体１の内部に、上面金網１ａ及び下面金網１ｂの網目より大きい軽石１ｃを多数封入する。軽石１ｃは表面が多孔質のものを使用する。
次に保護体１の左側面及び上側面に図２に示すように上方に向って伸びる突起を設けて係合突部１ｄとし、保護体１の右側面及び下側面に係合突部１ｄと係合できる係合穴１ｅを設ける。
次にアンカー２は、地上定着部２ａが十字形状であり、十字の長さが四角形状の上面金網１ａ及び下面金網１ｂの上辺から下辺、左辺から右辺までの間隔よりやや短くし、地上定着部２ａの中央から下方に向って長く伸びた引張部材２ｂを設ける。引張部材２ｂの下部には、地中に打ち込んだアンカーが抜けないように拡巾した部分を設ける。
【０００９】
この保護体１の下面金網１ｂの外側部分が法面に接するように配置する。次にアンカー２の引張部材２ｂが上面金網１ａ及び下面金網１ｂの中央を貫通させるようにしてアンカー２の引張部材２ｂを地中に打ち込むようにして法面に設置する。さらにアンカー２を地中に打ち込むようにして、アンカー２の十字形状の地上定着部２ａが強く保護体１の上面金網１ａを法面に向って押し付けるようにする。これによって保護体１は法面に強く固定される。
次にこの保護体１に隣接させて別の保護体１を取り付ける。この際には、図２に示すように保護体１の左側面及び上側面に設けた係合突部１ｄに別の保護体１の右側面及び下側面の係合穴１ｅを係合させて保護体１同士を連結させる。これによってさらに保護体１が強度高く法面に取り付けられることになる。
このようにして、複数の保護体１によって法面を覆ったならば、この法面がダムや河川に設けられたものであって、水位の変化によって水中に没したり、波を被るようになった場合においても、まず、波の衝撃力のような水の力に対しては、アンカー２の地上定着部２ａ及び保護体１の上面金網１ａによって防ぐことができる。さらに上面金網１ａの網目内に水がぶつかるが、保護体１内には、充填部材として軽石１ｃを多数封入しているので水による力は分散する。よって法面に大きな力が直接加わらないので、急激に波により掘り取られるようなことはない。
【００１０】
法面の岩や石などが法面からはずれようとした場合、法面には保護体１の下面金網１ｂが押し付けられているので岩や石などが法面からはずれるようなことはない。また、下面金網１ｂの網目は上面金網１ａの網目より小さくしてあるので、法面の比較的小さな石でも保護体１の内部まで容易に移動しない。また、保護体１の内部まで移動しても、内部には軽石１ｃを多数封入しているので軽石同士の隙間は複雑で狭いため、保護体内部まで侵入する石も止めやすくなる。
法面の土砂の流出に対しては、法面に接している下面金網１ｂの網目の細さと、複雑に入り組んだ軽石同士の隙間によって、効果高く防ぐことができる。
水に対しては、保護体１の上面金網１ａの網目及び下面金網１ｂの網目は、十分な開口であり、保護体１内に封入した軽石１ｃ同士の隙間も十分に水を通すため、保護体１と法面の間に水が溜って、その水が保護体１と法面の間に隙間を作ることがない。また、同様にして地下水等が法面を通って河川やダムに染み出そうとする場合も問題なく水が染み出る。
さらに、保護体１内の軽石１ｃは表面に細かい凹凸を有する多孔質であるために、微生物や植物が定着しやすい。よって水中、水上にかかわらず植物の根によって法面が安定するのに寄与できる。
このように本参考例の法面保護構造を用いることによって、水位によって水中に没したり、水を波のように被ることがある場所に設けられる法面を安定するように保護することができる。
【００１１】
実施例（図４，５参照）
次に本発明の実施例を図４，５に基づいて説明する。
図４，５に示す実施例はアンカーの地上定着部の間から露出した法面の表面を保護体が覆うようにし、保護体の下側の金属板の下側に植生布を設けた法面保護構造の例である。
図４は実施例の法面保護構造の説明図である。図５は実施例の法面保護構造の平面図である。
図中、４は保護体、４ａは上面多孔金属板、４ｂは下面多孔金属板、４ｃは砂利石、４ｄは係合部、５はアンカー、５ａは地上定着部、５ｂは引張部材、５ｃは係合部、６はワイヤー、７は植生布である。
実施例では、法面にまずアンカー５を複数取り付け、アンカー５の地上定着部５ａ以外の間から露出した法面の表面を保護体４が覆うようにする。よって、十字形状の地上定着部５ａによって４つに仕切られる形状に保護体４はなっている。保護体４には、係合部４ｄを設け、アンカー５の地上定着部５ａには係合部５ｃを設けて、係合部４ｄと係合部５ｃにワイヤー６を取り付けるようにしてアンカー５と保護体４を取り付ける。
実施例の保護体４の上面の上面多孔金属板４ａ及び下面の下面多孔金属板４ｂは図５に示すように金属板をプレス加工して多数の孔を設けた多孔の金属板を用いている。また、この上面多孔金属板４ａと下面多孔金属板４ｂの間に砂利石４ｃを充填部材として多数封入する。
さらに、保護体４の下面多孔金属板４ｂの下面には、植物の植生を助ける植生布７を設けて、下面多孔金属板４ｂと法面の間に植生布７が位置するようにする。
実施例では、このような法面保護構造にすることによってアンカーの地上定着部５ａが法面上に定着するようにして法面を安定させ、地上定着部間の隙間を保護体４が保護する。これによりアンカーの法面安定の効果を十分に行えるようにしつつ、水はけよく、法面の保護が行えるようになる。
また、実施例の法面保護構造の保護体４の下面多孔金属板４ｂの下面には植生布７を設けているので、植物の種子などが水等によって流れてしまいにくくして植物が定着しやすくする。また、植生布７は適度に水分を含むので、植物の生育を助ける。植物の根が法面の地中にはるようになれば、自然に法面が安定し、さらに法面を強く保護できるようになる。また、目の細かい植生布７で法面を覆うことによって、法面の土砂がさらに流出しにくくなるので、より確実な法面の保護が行える。
その他符号、構成、作用、使い方は参考例と同じである。
【００１２】
【発明の効果】
本発明によれば、水の通過をよくして水が法面表面又は法面中に溜まらないようにし、かつ法面を補強して安定するよう保護することができる。
アンカーの地上定着部の間から露出した法面の表面を覆うように保護体を配置しているので、さらに法面の補強を強くして法面を安定させて保護することができる。
保護体が上側の金網又は多孔を備えた金属板の網目又は孔より下側の網目又は孔が小さくしたものは、法面の土砂の流出を防いでさらに確実に法面を保護させることができる。
保護体の下側の金網又は多孔を備えた金属板の上側又は下側に植生布を設けたものは、自然な法面にし、かつ自然の力でさらに法面を安定させて保護することができる。  
アンカーの地上定着部が十字形状であるものは、法面を十字で押さえて、十分に法面を補強できるようにして法面をさらに安定するよう保護する。
充填部材が多孔性であるものは、土砂の流出をさらに防ぎ、かつ、植物が植生しやすいようにして、さらに法面を確実に保護できるようにする。
充填部材が軽石であるものは、安価で、軽量な保護体にすることにより作業性をよくする法面保護構造にできる。
【図面の簡単な説明】
【図１】  参考例の法面保護構造の説明図である。
【図２】  参考例の法面保護構造の平面図である。
【図３】  参考例の法面保護構造の保護体同士の連結部分を示す説明図である。
【図４】  実施例の法面保護構造の説明図である。
【図５】  実施例の法面保護構造の平面図である。
【符号の説明】
１  保護体
１ａ  上面金網
１ｂ  下面金網
１ｃ  軽石
１ｄ  係合突部
１ｅ  係合穴
２  アンカー
２ａ  地上定着部
２ｂ  引張部材
３  欠番
４  保護体
４ａ  上面多孔金属板
４ｂ  下面多孔金属板
４ｃ  砂利石
４ｄ  係合部
５  アンカー
５ａ  地上定着部
５ｂ  引張部材
５ｃ  係合部
６  ワイヤー
７  植生布
３０  法面
【図１】
0004475717.tif 000002
【図２】
0004475717.tif 000003
【図３】
0004475717.tif 000004
【図４】
0004475717.tif 000005
【図５】
0004475717.tif 000006